(57)【要約】【課題】自動販売機の壁構造に制約されることなく、低コストで、しかも、操作が安全に容易に行われるようなダクトのフラッパー開閉機構を有する大量販売可能の省エネルギー型の自動販売機を提供する。【解決手段】キャビネット１の庫内に商品収納ラック６と，商品を冷却、加温するファン付き冷却／加熱ユニット８と、庫内の背面に位置し、循環送風の吸込口７０ａを変更させるフラッパー開閉手段７９を有するダクト７とを具備する自動販売機において、フラッパー開閉手段７９がフラッパー７１、手動で開閉する操作部７３、フラッパーと操作部を連結するロッド７２を有して、ダクト内に一体に組み付けられ、操作部７３がロッドを規制させるガイド溝７４ａと、上下移動させる操作溝７４ｂとを有して、操作溝７４ｂがガイド溝７４ａより大きい溝としてあるので、操作範囲の自由度が多く操作が容易となる。【選択図】図３
2008134783.tif 000002
【特許請求の範囲】
【請求項１】
キャビネットの庫内に上下に並べて収納した商品を販売指令に基づき最下位から順に下方に搬出する商品収納ラックと，販売モードに合わせて庫内に冷気，もしくは暖気を循環送風して商品を冷却，ないし加温するファン付き冷却／加熱ユニットと、該冷却／加熱ユニットの風胴に連ねて庫内の背面に位置し、循環送風の吸込口を開閉させるフラッパー開閉手段を有するダクトとを具備する自動販売機において、
前記フラッパー開閉手段がフラッパー、該フラッパーを手動で開閉する操作部、該フラッパーと該操作部を連結するロッドを有して、ダクト内に収納してダクトに一体に組み付けられ、前記操作部は前記ロッドを規制させるガイド溝と、前記ロッドを上下移動させる操作溝とを有することを特徴とする自動販売機。
【請求項２】
前記ガイド溝は、逆Ｊ字状であり、前記操作溝は前記ガイド溝の最外形を結んで形成されていることを特徴とする請求項１に記載の自動販売機。
【請求項３】
前記フラッパーは、上縁部もしくは下縁部より突出した爪部を有し、当該爪部片がダクトに形成された孔と挿通係合することを特徴とする請求項１または２に記載の自動販売機。
【請求項４】
前記フラッパー開閉手段は複数のフラッパーを有し、1個のロッド、操作部にて複数の前記フラッパーを選択的に連動させて開閉させることを特徴とする請求項１ないし３のいずれかに記載の自動販売機。
【発明の詳細な説明】
【技術分野】
【０００１】
本発明は、缶、ビン、パック、ペットボトルなどの容器に入れた飲料などの商品を冷却、加熱して販売に供する自動販売機に関するものである。
【背景技術】
【０００２】
地球の温暖化、二酸化炭素の排出削減問題で自動販売機の省エネルギーが強く要求されている。省エネルギーを実施する上では、自動販売機の断熱構造を強化すること、庫内の必要な商品だけを部分的に冷却、加熱することなどが有用である。自動販売機の断熱構造を強化するには、断熱壁を厚くする、真空断熱材を使用するなどが効果的であり、近年では自動販売機内のホット室、コールド室の仕切り板の表面を薄い鋼板、合成樹脂を被覆して商品収納室のホット商品収納室とコールド商品収納室間の熱の進入を抑制する方法（以下、この構造を内箱レス構造という）が知られている（例えば、特許文献１）。  また、庫内を部分冷却、加熱する方法としては、庫内背面のダクトの中間に通気口を布設して、商品の販売状況に応じてフラッパーで送風経路を切り替える方法が知られている。（例えば、特許文献２）。
【特許文献１】特開２０００−１６３６３９号公報
【特許文献２】特開２０００−２００３８８号公報
【発明の開示】
【発明が解決しようとする課題】
【０００３】
しかしながら、内箱レス構造、真空断熱壁の自動販売機に特許文献２の背面のダクト切り替え装置を取設しようとすると下記の問題がある。
１）省エネに好適な自動販売機は、内壁に真空断熱材を使用する、または壁面を樹脂とするので、レバーとダクトフラッパーを連携するロッドを壁面に強固に固着することができず、レバー操作時に脱落する虞がある。
２）レバーが庫内の手前側に取設され、フラッパーが庫内奥側のダクト内に収設されているので、全体の機構部を生産ライン上で自動販売機の庫内に取設するには、ダクト、ロッド、レバーの順に組み付けるため、ライン上での組立調整、動作調整が必要となり組み立て工数が多くコスト高となる。
３）ダクトの切替は本来自動販売機の管理者が商品の売れ行き状況を勘案して適宜設定することが望ましいので、レバーが手前にあると、単に商品を投入する作業者（例えば、アルバイト）が誤ってレバーを操作する虞がある。また、自動販売機の奥側に切替レバーを設けると自動販売機の前面側から商品収納ラックの下方に手を入れなければならないため、操作がし難い。
【０００４】
そこで、本発明は上記の点にかんがみなされたものであり、自動販売機の壁構造に制約されることなく、低コストで、しかも、操作が簡単に安全に行われるようなダクトのフラッパー開閉機構を有する省エネルギー型の自動販売機を提供することを目的とする。
【課題を解決するための手段】
【０００５】
本発明の請求項１に係る自動販売機は、キャビネットの庫内に上下に並べて収納した商品を販売指令に基づき最下位から順に下方に搬出する商品収納ラックと，販売モードに合わせて庫内に冷気，もしくは暖気を循環送風して商品を冷却，ないし加温するファン付き冷却／加熱ユニットと、該冷却／加熱ユニットの風胴に連ねて庫内の背面に位置し、循環送風の吸込口を開閉させるフラッパー開閉手段を有するダクトとを具備する自動販売機において、前記フラッパー開閉手段がフラッパー、該フラッパーを手動で開閉する操作部、該フラッパーと該操作部を連結するロッドを有して、ダクト内に収納してダクトに一体に組み付けられ、前記操作部は前記ロッドを規制させるガイド溝と、前記ロッドを上下移動させる操作溝とを有することを特徴とする。
また、本発明の請求項２に係る自動販売機は、上記請求項１において、前記ガイド溝は、逆Ｊ字状であり、前記操作溝は前記ガイド溝の最外形を結んで形成されていることを特徴とする。
【０００６】
また、本発明の請求項３に係る自動販売機は、上記請求項１または２において、前記フラッパーは、上縁部もしくは下縁部より突出した爪部を有し、当該爪部片がダクトに形成された孔と挿通係合することを特徴とする。
また、本発明の請求項４に係る自動販売機は、上記請求項１ないし３のいずれかに記載の自動販売機において、前記フラッパー開閉手段は複数のフラッパーを有し、1個のロッド、操作部にて複数の前記フラッパーを選択的に連動させて開閉させることを特徴とする。
【発明の効果】
【０００７】
本発明の請求項１〜４に係る冷却装置によれば、以下の効果が得られる。
１）ダクトのフラッパー開閉機構がダクト内に収納されているので、自動販売機の壁面の態様に制約されることがない結果、内箱レス構造、真空断熱材を使用した自動販売機に部分冷却、加熱を行うことにより好適な省エネルギー効果が得ることができる。
また、操作部がダクト内に収納され、ロッドの上下移動位置を規制させるガイド溝とガイド溝の最外形を結んで形成される操作溝とを有するので、操作が簡単であって、しかも、アルバイトなど自動販売機の飲料を供給する作業者が誤ってレバーを操作することがない。
２）フラッパーが、上縁部もしくは下縁部より突出した突出片と有し、ダクトに長形状に形成された係止孔と挿通係合するので、低コストで製作、組立ができる。
３）フラッパー開閉手段が複数のフラッパーを有し、1個のロッド、操作部にて複数のフラッパーを選択的に連動させて開閉させることができるので、自動販売機の管理者のみが商品の売れ行き状況を勘案して複数段階での部分冷却、全体冷却を簡単な操作で適宜設定すること結果、好適な省エネルギー効果を得るとともに、大量販売への対応を可能となる。
【発明を実施するための最良の形態】
【０００８】
以下に添付図面を参照して、本発明に係る好適な実施の形態を詳細に説明する。なお、この実施の形態によりこの発明が限定されるものではない。
（実施例１）
図１〜図５は、本発明に係る自動販売機の形態を示した実施例１の説明図である。図１は実施例1の自動販売機における部分冷却運転時の側断面図であり、図２は実施例1の自動販売機における全体冷却運転時の側断面図である。図３は実施例1の自動販売機における部分断面の斜視図を示し、図４は、図３の自動販売機におけるフラッパー開閉手段の構造を示す部分断面の斜視図であり、（ａ）は部分冷却運転時、（ｂ）は全体冷却運転時の動作状態を示す。図５は、図４の上部構造の側面図であり、（ａ）は部分冷却運転時、（ｂ）は全体冷却運転時の動作状態を示す。
【０００９】
これら図１ないし図３において、自動販売機は、前面が開口した直方状の断熱体として形成された本体キャビネット１と、その前面に設けられた外扉２と内扉３と、本体キャビネット１の内部を上下2段に底板１ａにて区画形成し、上部を例えば２つの断熱仕切板４によって仕切られた３つの独立した商品収容庫５ａ、５ｂ、５ｃと、下部に底板１ａを跨いで商品収容庫を冷却加熱する冷却／加熱ユニット８を収納する機械室１０とにより構成されている。
より詳細に説明すると、外扉２は、本体キャビネット１の前面開口を開閉するためのものであり、内扉３は、商品収容庫５ａ，５ｂ，５ｃの前面を開閉するためのものであり、内部に断熱体を有し内部の商品を保温するものである。商品収容庫５ａ，５ｂ，５ｃは、缶入り飲料やペットボトル入り飲料等の商品Ｗを所望の温度に維持した状態で収容するためのものであり、その収納庫の容量は５ａ，５ｃ、５ｂの順に小さい。断熱仕切板４は、両表面に樹脂がコートされている発泡スチロールの壁本体４ａと、その下部に空洞部を設けその中に真空断熱材４ｂを挿着し、その両面を薄い鋼板４ｃで壁本体４ａに接着されているものである。
商品収容庫５ａ，５ｂ，５ｃには、それぞれ、商品収納ラック６、搬出機構６１および商品搬出シュート６２が設けてある。商品収納ラック６は、商品Ｗを上下方向に沿って並ぶ態様で収納するためのものである。搬出機構６１は、商品収納ラック６の下部に設けてあり、この商品収納ラック６に収納された商品群のうち最下部にある商品Ｗを一つずつ搬出するためのものである。商品搬出シュート６２は、搬出機構６１から搬出された商品Ｗを商品取出口３ｂに導くためのものであり、また、その表面に多数の孔が穿設され、冷却加熱風を通過させるようにしてある。
【００１０】
冷却／加熱ユニット８は、機械室１０内に配設された圧縮機８１、凝縮器８２、膨張弁８３を底板１ａを跨いで庫内の冷却器８４と冷媒配管で連結し，冷却器８４の前方にヒータ８５，ファン８６を冷却器８４のカバーケースである風胴８７に取設した構成であり、販売モードに応じて、庫内に冷風または温風を循環させて商品収納ラック６内の商品Ｗを冷却または加熱するものである。
背面のダクト７は、冷却器８４の風胴８７に連ねてキャビネット１の背面パネル上に布設されており、その上端および中段が庫内に向けて開口している。ダクト７の高さは商品収納ラック６の高さに合わせて固定的に設定されており、その上端に開口する吸込口７０ａは、庫内循環空気が商品収納ラック６の全域を満遍なく流れて背面のダクト７に吸い込まれるような高さ位置に定めてある。また、中段の吸込口７０ｂは、庫内循環空気が商品収納ラック６の下部域を中心に流れるような高さ位置に定めてある。そして、後述するようにフラッパー開閉手段７９により、図１で示される部分冷却加熱、図２で示される全体冷却に切り換えることが可能である。
【００１１】
背面のダクト７の構造についてより詳細に説明する。図３〜図５において、背面のダクト７は、縦長で断面コ字状の鋼板製のダクト本体７０と、フラッパー開閉手段７９を有して構成されている。
ダクト本体７０は、最上部に吸込口７０ａ、中間部に吸込口７０ｂ、下部に流出部７０ｃの開口部（図１，２参照）を有し、上部にフラッパー７１と挿通係合する長孔７０ｄ、７０ｄが形成されている。また、長孔７０ｄ、７０ｄの下方には、上部の吸込口７０ａの開口面積を確保するためのストッパー７０ｅ、７０ｅ、および、ロッド７２側のダクト本体７０の側面縁部は、ロッド７２の上下動作をガイドするガイド面７０ｆがダクト内側に延出している。
フラッパー開閉手段７９は、上部の吸込口７０ａを開閉するフラッパー７１と、そのフラッパー７１を操作する操作部７３と、操作部７３の操作をフラッパー７１に伝達させるロッド７２を有して構成されている。
【００１２】
フラッパー７１は、上部の吸込口７０ａを開閉させる平板状の本体７１ａと、その本体７１ａの下端には、２度屈曲形成した屈曲部７１ｂ、７１ｂと、屈曲部７１ｂより延在する爪部７１ｃ、７１ｃを有している。また、フラッパー本体７１ａの側部下端には、ロッド７２と係合する係止片７１ｄがダクト７の内側に向けて鋭角に延設されている。
屈曲部７１ｂ、７１ｂと爪部７１ｃ、７１ｃは、ダクト本体７０の長孔７０ｄと挿通係合してヒンジ構造を形成し、フラッパー７１が屈曲部７１ｂ、７１ｂを中心に回動自在としている。
ロッド７２は、本体が高さ方向に長尺に形成されたウエブ７２ａと、その両端面から延在した前面のフランジ７２ｂと後面のフランジ７２ｃとで断面コ字状の形成された細長い部材であり、そのウエブ７２ａの上端部は台形状に形成されている。また、ロッド７２は、ウエブ７２ａの上端部の台形斜面に沿った態様で前面のフランジ７２ｂより延在する係止片７２ｄと、ウエブ７２ａの上端部からダクト内側に向けて屈曲延在する係止片７２ｅとを有している。前面のフランジ７２ｂと後面のフランジ７２ｃは、ダクト本体７０とガイド面７０ｆにそれぞれ当接してロッド７２が上下方向に移動するときの奥行き方向のガイドとなっている。係止片７２ｄは、フラッパー本体７１ａと当接係合してフラッパー本体７１ａを開成させるためのものであり、係止片７２ｅはフラッパー７１の係止片７１ｄと係合してフラッパー本体７１ａを閉成させるためのものである。
【００１３】
操作部７３は、図３、図４に示すように断面コの字状（開放部が上を向いている）に形成された板状部材であり、一端がロッド７２に連結された操作片７３ａと、ダクト本体７０に穿孔されたガイド溝７４ａ、操作溝７４ｂを有して構成されている。また、操作部７３は、断面コの字状の操作片７３ａにおける前面側の板にガイド溝７４ａを挿通する断付ネジ７３ｂが螺着され、また、その前面側の板には操作溝７４ｂの開口部に面して操作孔７３ｃが穿孔されている。操作孔７３ｃは、ドライバーまたはボールペンなどが挿入できる程度の孔径である。
ガイド溝７４ａは、ロッド７２の移動を規制するためのものであり、逆Ｊの字状の形状をして、逆Ｊの下端がロッド７２の下段位置を規定し、逆Ｊの上端がロッド７２の上段位置を規定している。
【００１４】
操作溝７４ｂは、ガイド溝７４ａに隣接し、ガイド溝７４ａの最外形を結んで形成される態様の溝で形成されている。本実施例１では、ガイド溝７４ａが逆Ｊの字状の形状をしているので、操作溝７４ｂは、中をくりぬいたＰの字の形状をしている。
かかる構成で、自動販売機の前面からボールペンなどを持って手を入れ、操作部７３の操作孔７３ｃによりロッド７２を最下位の位置にセットすれば、フラッパー７１は図５(ａ)で示すように係合片７２ｅが係合片７１ｄに当接してフラッパー本体７１ａを背面に押し当て、上部の吸込口７０ａを閉成させる。この状態で自動販売機の冷却／加熱ユニット８を運転すれば、図１の矢印で示すように冷却もしくは加温された空気が中段の吸込口７０ｂに流れるので、空気が商品収納ラック６の下部を中心に循環する結果、すぐに販売される下部の商品を中心に部分冷却、加熱が行われる。
【００１５】
また、大量に販売が予測されるときには、操作部７３の操作孔７３ｃにより最上位の位置にセットすれば、フラッパー７１は図５(ｂ)で示すように係合片７２ｄがフラッパー本体７１ａの裏面に当接してフラッパー本体７１ａを図中半時計周りに回動させて、上部の吸込口７０ａを開成させる。この状態で自動販売機の冷却／加熱ユニット８を運転すれば、図２の矢印で示すように冷却もしくは加温された空気が上部の吸込口７０ａ、中段の吸込口７０ｂの２方に分かれて流れるので、空気が商品収納ラック６の全体に循環することになる結果、商品収納ラック６に収納した全部の商品が保冷，加温される。
前述のように、フラッパー開閉機構７９がダクト内に収納されているので、自動販売機の壁面の態様に制約されることがない結果、内箱レス構造、真空断熱材を使用した自動販売機に部分冷却、加熱を行うことにより好適な省エネルギー効果が得ることができる。しかも、大量販売時には、簡単な操作で全体冷却、加熱を行うことができるので、商品の冷却、加熱が不足して売り切れ表示状態を継続することによる販売機会を逃すことがなくなり、高収益な自動販売機の運営ができる。
【００１６】
また、フラッパー開閉機構７９がダクト内に収納されているので、ダクトをセット組立、調整を行った後に自動販売機の製造ライン上での組み付ける結果、ライン上での組立調整、動作調整が不要となり組み立て工数が少なく、低コストとなる。さらに、フラッパーが、上縁部もしくは下縁部より突出した爪部を有し、ダクトに形成された長孔と挿通係合するので、低コストで製作、組立ができる。
また、操作部７３が自動販売機の奥側に設置されているので、アルバイトなど自動販売機の飲料を供給する作業者が誤ってレバーを操作することがない。しかも、操作部が自動販売機の奥側に設置されているけれども、操作溝７４ｂがロッド７２を規制するガイド溝７４ａより大きな溝で形成されているので、操作範囲の自由度が高い結果、ボールペンなどを手に持って操作穴７３ｃ入れるなどして、自動販売機の前面から容易に操作ができる。
【００１７】
また、ガイド溝７４ａを商品搬出シュート６２の下方に位置させ、操作溝７４ｂを商品搬出シュート６２の上方に位置させ、しかも、操作部７３の操作により出没する目印孔を操作片７３ａの操作溝７４ｂの開口部に面した位置に設けても良い。この構成により、ダクトフラッパー操作時に、誤って段付ネジ７３ｂに触れることないので、誤動作が防止でき、また、目印孔により自動販売機の背面奥側での操作においても操作状態が容易に確認できる。
(実施例２)
本願の請求項３の発明に係る実施の形態を実施例２として図６〜図１２に示す。図６は実施例２の自動販売機における部分冷却運転時の側断面図であり、図７は実施例２の自動販売機における全体冷却運転時の側断面図である。図８は実施例２の自動販売機における更なる全体冷却運転時の側断面図である。図９は実施例２の自動販売機における部分断面の斜視図を示し、図１０は、図９の自動販売機におけるフラッパー開閉手段の構造を示す部分断面の斜視図であり、（ａ）は部分冷却運転時、（ｂ）は全体冷却運転時、（ｃ）は更なる全体冷却運転時の動作状態を示す。図１１は、図１０の上部構造の側面図であり、（ａ）は部分冷却運転時、（ｂ）は全体冷却運転時、（ｃ）は更なる全体冷却運転時の動作状態を示す。図１２は、図１０の中部構造の側面図であり、（ａ）は部分冷却運転時、（ｂ）は全体冷却運転時、（ｃ）は更なる全体冷却運転時の動作状態を示す。
【００１８】
実施例１と相違する点は、中央部の吸込口７０ｂに開閉する中段フラッパー７５を取設して、上部のフラッパー７１と連動させて操作部を3段階に動作させることにより、ダクト７の吸込み箇所が３段階に変わる点である。このことにより、簡単な構造にて、部分冷却運転、全体冷却運転、更なる全体冷却運転を実施することができ、自動販売機の販売状況に応じて更にきめ細かく運営を可能にした点である。構成上の相違点は、フラッパー開閉手段７９に、中段フラッパー７５が取設され、中段フラッパー７５を開閉させるためにロッド７２とレバー７６を係合させて、３段階の動作をさせる操作部７７を取設した点である。その他の構成は、実施例１と実質的に同一であるので、その説明を省略する。
中段フラッパー７５は、図１０、図１２に示すように中段の吸込口７０ｂを開閉させる平板状の本体７５ａと、その本体７５ａの上端には、２度屈曲形成した屈曲部７５ｂ、７５ｂと、屈曲部７５ｂより延在する爪部７５ｃ、７５ｃを有している。また、フラッパー本体７５ａの側部下端には、レバー７６と係合する係止片７５ｄがダクト７の内側に向けて鋭角に延設されている。
【００１９】
屈曲部７５ｂ、７５ｂと爪部７５ｃ、７５ｃは、ダクト本体７０に穿孔された長孔７０ｇと挿通係合してヒンジ構造を形成し、フラッパー７５が屈曲部７５ｂ、７５ｂを中心に回動自在としている。
レバー７６は、Ｚ型に屈曲形成された板状部材であり、レバー本体７６ａ、ダクト本体７０の側面と軸支する支軸７６ｂ、中段フラッパー７５の係合片７５ｄと係合する係合端７６ｃ、ロッド７２の後面フランジ面７２ｃと係合する係止片７６ｄより構成されている。ロッド７２のウエブ７２ａには、ロッド７２移動における支軸７６ｂの逃げ溝７２ｇ、後面フランジ面７２ｃには、係止片７６ｄと係合する係合孔７２ｆが穿孔され、また、係止片７６ｄの逃げ孔としてガイド面７０ｆには逃げ孔７０ｈが穿孔されている。
レバー７６は、下記のように中段フラッパー７５、ロッド７２と係合している。すなわち、ロッド７２が下段または中段にあるときは、図１２（ａ）、（ｂ）に示すように係止片７６ｄがフランジ面７２ｃに当接して係合片７６ｃを水平に保持するとともに、係合片７６ｃが係合片７５ｄを係止して中段フラッパー本体７５ａを傾斜させた状態に保持することにより、中段の吸込口７０ｂを開成状態とさせている。また、ロッド７２が上端にあるときは、図１２（ｃ）に示すように係止片７６ｄがフランジ面７２ｃと離間し係合孔７２ｆに間挿して、係合片７６ｃを下向き傾斜させる。このとき、係合片７６ｃと係合片７５ｂは離間して、中段フラッパー本体７５ａは自重により垂直位置まで回動することにより、中段の吸込口７０ｂを閉成状態とさせている。
【００２０】
操作部７７は、実施例１と同様に操作片７３と、ガイド溝７８ａ、操作溝７８ｂを有して構成されている。
ガイド溝７８ａは、ロッド７２の移動を規制するためのものであり、Ｆの字状の形状をして、Ｆ字の下端がロッド７２の下段位置を規定し、Ｆ字の第２辺が中段位置を、Ｆ字の第１辺がロッド７２の上段位置を規定している。
操作溝７８ｂは、ガイド溝７８ａに隣接し、ガイド溝７８ａの最外形を結んで形成される態様の溝で構成されている。本実施例２では、ガイド溝７７ａがＦ字状の形状をしているので、操作溝７８ｂは、中をくりぬいたＰの字の形状をしている。
かかる構成で、操作片７３を下段の位置にセットすれば、上部フラッパー７１は図１１(ａ)で示すように係合片７２ｅが係合片７１ｄに当接してフラッパー本体７１ａを背面に押し当て、上部の吸込口７０ａを閉成させる。中段フラッパー７５は、図１２(ａ)で示すように係合片７６ｃが係合片７５ｄに当接して７５ａを背面に押し当て、中段の吸込口７０ｂを開成させる。この状態で自動販売機の冷却／加熱ユニット８を運転すれば、図６の矢印で示すように冷却もしくは加温された空気が中段の吸込口７０ｂに流れるので、空気が商品収納ラック６の下部を中心に循環する結果、すぐに販売される下部の商品を中心に部分冷却、加熱が行われる。
【００２１】
また、大量に販売が予測されるときには、操作片７３を中段の位置にセットすれば、上部フラッパー７１は図１１(ｂ)で示すように係合片７２ｄがフラッパー本体７１ａの裏面に当接してフラッパー本体７１ａを図中半時計周りに回動させて、上部の吸込口７０ａを開成させる。また、中段フラッパー７５は、図１２(ｂ)で示す位置で維持されるので、中段の吸込口７０ｂは開成状態で維持される。この状態で自動販売機の冷却／加熱ユニット８を運転すれば、図７の矢印で示すように冷却もしくは加温された空気は、上部の吸込口７０ａに流入し中段フラッパー７５の両側端を通過する流れと、中段の吸込口７０ｂに流入する流れの２方に分かれて流れるので、空気が商品収納ラック６の全体に循環することになる結果、商品収納ラック６に収納した全部の商品が保冷，加温される。
また、さらに大量に販売が予測されるときには、操作片７３を操作して、操作片７３を上段の位置にセットすれば、上部フラッパー７１は図１１(ｃ)で示す位置で維持されるので、上部の吸込口７０ａは開成状態で維持される。中段フラッパー７５は、図１２(ｃ)で示すように係止片７６ｄがスライド面７２ｃと離間し、係合片７６ｃと係合片７５ｂも離間して、中段フラッパー７５は自重で垂下して、中段の吸込口７０ｂを閉成状態とする。この状態で自動販売機の冷却／加熱ユニット８を運転すれば、図８の矢印で示すように冷却もしくは加温された空気が上部の吸込口７０ａのみに流れるので、商品ラック６の下部から上部の庫内全体を循環することになるので、更なる全体冷却、加熱が行われる。
【００２２】
したがって、前述の実施例１ような効果がある他に、本実施例２では、フラッパー開閉手段７９がフラッパー７１、中段フラッパー７５の２個を有し、1個のロッド７２、操作部７７にてフラッパー７１、中段フラッパー７５を選択的に連動させて開閉させることができるので、自動販売機の管理者が商品の売れ行き状況を勘案して３段階での部分冷却、全体冷却を簡単な操作で適宜設定するが可能となり、好適な省エネルギー効果を得るとともに、大量販売への対応がさらに容易となる。
【産業上の利用可能性】
【００２３】
以上のように、本発明は、例えば断熱筐体の内部雰囲気を冷却するための冷却装置および自動販売機として有用である。
【図面の簡単な説明】
【００２４】
【図１】図１は実施例1の自動販売機における部分冷却運転時の側断面図である。
【図２】図２は実施例1の自動販売機における全体冷却運転時の側断面図である。
【図３】図３は実施例1の自動販売機における部分断面の斜視図を示す。
【図４】図４は、図３の自動販売機におけるフラッパー開閉手段の構造を示す部分断面の斜視図であり、（ａ）は部分冷却運転時、（ｂ）は全体冷却運転時の動作状態を示す。
【図５】図５は、図４の上部構造の側面図であり、（ａ）は部分冷却運転時、（ｂ）は全体冷却運転時の動作状態を示す。
【図６】図６は実施例２の自動販売機における部分冷却運転時の側断面図である。
【図７】図７は実施例２の自動販売機における全体冷却運転時の側断面図である。
【図８】図８は実施例２の自動販売機における更なる全体冷却運転時の側断面図である。
【図９】図９は実施例２の自動販売機における部分断面の斜視図を示す。
【図１０】図１０は、図９の自動販売機におけるフラッパー開閉手段の構造を示す部分断面の斜視図であり、（ａ）は部分冷却運転時、（ｂ）は全体冷却運転時、（ｃ）は更なる全体冷却運転時の動作状態を示す。
【図１１】図１１は、図１０の上部構造の側面図であり、（ａ）は部分冷却運転時、（ｂ）は全体冷却運転時、（ｃ）は更なる全体冷却運転時の動作状態を示す。
【図１２】図１２は、図１０の中部構造の側面図であり、（ａ）は部分冷却運転時、（ｂ）は全体冷却運転時、（ｃ）は更なる全体冷却運転時の動作状態を示す。
【符号の説明】
【００２５】
１  キャビネット
４  断熱仕切板
４ｂ  真空断熱材
６  商品収納ラック
７  ダクト
８  冷却／加熱ユニット
６２  シューター
７０  ダクト本体
７０ａ  吸込口
７０ｂ  吸込口
７０ｄ  長孔
７０ｇ  長孔
７１  フラッパー
７１ａ  フラッパー本体
７１ｂ  屈曲部
７１ｃ  爪部
７２  ロッド
７３  操作部
７４ａ  ガイド溝
７４ｂ  操作溝
７５  中段フラッパー
７５  フラッパー
７５ａ  フラッパー本体
７５ｂ  屈曲部
７５ｃ  爪部
７６  レバー
７７  操作部
７８ａ  ガイド溝
７８ｂ  操作溝
【図１】
2008134783.tif 000003
【図２】
2008134783.tif 000004
【図３】
2008134783.tif 000005
【図４】
2008134783.tif 000006
【図５】
2008134783.tif 000007
【図６】
2008134783.tif 000008
【図７】
2008134783.tif 000009
【図８】
2008134783.tif 000010
【図９】
2008134783.tif 000011
【図１０】
2008134783.tif 000012
【図１１】
2008134783.tif 000013
【図１２】
2008134783.tif 000014